(57)【要約】【課題】保湿容器の密閉性を高めるとともに中身のウェットティッシュ等を片手で取り出しやすくする。【解決手段】湿潤シート１２を収納する容器本体と、この容器本体に設けられた湿潤シートの取出口２と、この取出口を開閉する容器本体にヒンジ結合された開閉蓋３とを具備する。容器本体に取出口より大きい開口部９が形成され、この開口部の略半分が弾性を有した軟質材製の膜体７ａで覆われ、開口部の残りの部分が同様な膜体７ｂで覆われ、両膜体の隣接部分が合掌状に重ね合わされることにより取出口が形成される。これにより、湿潤シートを滑らかに取出口から引き出すことができ、しかもこの引き出し操作を片手で行うことが可能となる。【選択図】図５
2008100751.tif 000002
【特許請求の範囲】
【請求項１】
湿潤シートを収納する容器本体と、この容器本体又は容器本体の着脱部材に設けられた湿潤シートの取出口と、この取出口を開閉する上記容器本体又は上記着脱部材にヒンジ結合された開閉蓋とを具備した保湿容器において、上記容器本体又は上記着脱部材に上記取出口より大きい開口部が形成され、この開口部の略半分が弾性を有した軟質材製の膜体で覆われ、開口部の残りの部分が同様な膜体で覆われ、上記両膜体の隣接部分が合掌状に重ね合わされることにより上記取出口が形成されたことを特徴とする保湿容器。
【請求項２】
請求項１に記載の保湿容器において、上記両膜体の合掌状に重ね合わされた隣接部分の先端が互いに反対側に反り返っていることを特徴とする保湿容器。
【請求項３】
請求項１に記載の保湿容器において、上記着脱部材が、上記容器本体に形成された湿潤シートの重畳体又はロールの挿入口を開閉する蓋体であることを特徴とする保湿容器。
【発明の詳細な説明】
【技術分野】
【０００１】
本発明は、ウェットティッシュ等の湿潤シートを収納する保湿容器に関する。
【背景技術】
【０００２】
ウェットティッシュ等の湿潤シートを収納する保湿容器は、湿潤シートを収納する容器本体と、この容器本体に形成された湿潤シートの取出口と、この取出口を開閉する容器本体にヒンジ結合された開閉蓋とを具備する。湿潤シートは、その多数のものがＺ字状に折られ、隣り合うもの同士で折れ部が互いに他方の間に入り込むように積み重ねられた状態で容器本体内に収納され、あるいは連続状の湿潤シートが一定間隔で入れられた切取線上でジグザグ折りされた状態で容器本体内に収納され、あるいは切取線が所定間隔で設けられた連続シートがロール状に巻き取られた状態で容器本体内に収納される。最上位の湿潤シート又は始端側の湿潤シートを取出口から引き出すと、これに連なるように後続の湿潤シートの先端部分が取出口から引き出され、取出口の端に引っ掛かって停止する。以後同様にして湿潤シートが一枚ずつ取出口から取り出される。
【０００３】
また、この種の保湿容器の開閉蓋は、湿潤シートに含浸したアルコール等の薬液、水等が蒸散しないように、湿潤シートの取出口の周辺部に密着するように、パッキン等のシール部材と共に設けられる（例えば、特許文献１，２，３，４，５参照。）。
【０００４】
【特許文献１】特開平１１−４９２０６号公報
【特許文献２】特開２０００−１４２８４２号公報
【特許文献３】特開２００１−２２５８７９号公報
【特許文献４】特表２００２−５２９３２２号公報
【特許文献５】特開２００４−２９９７６８号公報
【発明の開示】
【発明が解決しようとする課題】
【０００５】
ウェットティッシュ等の湿潤シートの先行するものが取出口から取り出されると、後続のものが先行するものに引きずられて取出口の縁に引っかかって停止し待機状態に保持される。ところが、取出口が大面積であるとか、円形等単純な形状であったりすると、後続の湿潤シートが容器本体内に落下し、次回の湿潤シートの取り出しが面倒になる。そのため、後続の湿潤シートの先端部が取出口に適正に保持されるように、従来の保湿容器の取出口は小面積に形成され（例えば、特許文献２参照。）、あるいは取出口の縁に湿潤シートの先端部を掛けるための突起等が形成される（例えば、特許文献１参照。）。
【０００６】
ところが、従来の取出口は後続の湿潤シートを待機位置に保持することができるが、取出口が硬い材質で形成されており、湿潤シートが取出口を通過しやすいように、開口面積にゆとりを持たせてあるので、このゆとりが容器の密閉性を悪くし、湿潤シートの乾燥を速める原因となっている。
【０００７】
また、開閉蓋による容器本体の密閉性を高めるためのシール部材等を保湿容器に設けるとすると、保湿容器の構造が複雑化し、部品点数や組立工数が増加するという問題がある。
【０００８】
本発明はこのような問題を解消することができる保湿容器を提供することを目的とする。
【課題を解決するための手段】
【０００９】
上記課題を解決するため、本発明は次のような構成を採用する。
【００１０】
すなわち、請求項１に係る発明は、湿潤シート（１２）を収納する容器本体（１）と、この容器本体（１）又は容器本体（１）の着脱部材（１６ａ）に設けられた湿潤シート（１２）の取出口（２）と、この取出口（２）を開閉する上記容器本体（１）又は上記着脱部材（１６ａ）にヒンジ結合された開閉蓋（３）とを具備した保湿容器において、上記容器本体（１）又は上記着脱部材（１６ａ）に上記取出口（２）より大きい開口部（９）が形成され、この開口部（９）の略半分が弾性を有した軟質材製の膜体（７ａ）で覆われ、開口部（９）の残りの部分が同様な膜体（７ｂ）で覆われ、上記両膜体（７ａ，７ｂ）の隣接部分が合掌状に重ね合わされることにより上記取出口（２）が形成されたことを特徴とする。
【００１１】
上記保湿容器において、両膜体（７ａ，７ｂ）の合掌状に重ね合わされた隣接部分の先端（１１）を互いに反対側に反り返らすようにしてもよい。
【００１２】
また、上記保湿容器において、着脱部材（１６ａ）を、容器本体（１６）に形成された湿潤シート（１２）の重畳体又はロール（４）の挿入口を開閉する蓋体としてもよい。
【発明の効果】
【００１３】
本発明によれば、容器本体（１）又は着脱部材（１６ａ）に取出口（２）より大きい開口部（９）が形成され、この開口部（９）の略半分が弾性を有した軟質材製の膜体（７ａ）で覆われ、開口部（９）の残りの部分が同様な膜体（７ｂ）で覆われ、両膜体（７ａ，７ｂ）の隣接部分が合掌状に重ね合わされることにより取出口（２）が形成されたことから、湿潤シート（１２）を滑らかに取出口（２）から引き出すことができ、しかもこの引き出し操作を片手で行うことが可能となる。また、この後続の湿潤シート（１２）を取り出す際にその先端部（１２ａ）を指で摘みやすくなる。さらに、湿潤シート（１２）に含浸したアルコール等の薬液、水等の蒸散を適正に防止することができる。
【発明を実施するための最良の形態】
【００１４】
次に、本発明の実施の形態について図面を参照して説明する。
【００１５】
＜実施の形態１＞
図１乃至図３に示すように、この保湿容器は、湿潤シートを収納する容器本体１と、この容器本体１に形成された湿潤シートの取出口２と、この取出口２を開閉する容器本体１に連結された開閉蓋３とを具備する。
【００１６】
容器本体１は、たとえば合成樹脂により略直方体の殻体として形成される。容器本体１の底壁１ａは容器本体１の周壁に対し凹凸縁１ｂを介して着脱自在に嵌合する。凹凸縁１ｂの嵌合により、容器本体１内が密封状態に保たれる。凹凸縁１ｂの嵌合を解除してこの底壁１ａを外すことにより、容器本体１内に湿潤シートを収納することができる。
【００１７】
湿潤シートは、従来と同様にその多数のものがＺ字状に折られ、隣り合うもの同士で折れ部が互いに他方の間に入り込むように積み重ねられる。あるいは、長尺の湿潤シートがミシン線でジグザグ折りされ積み重ねられる。この湿潤シートの積み重なったものの全体には、アルコール等の薬液、水等が含浸している。この湿潤シートの積み重なったものは当初袋４内に詰められた状態で保湿容器の容器本体１内に収納される。湿潤シートを保湿容器から一枚ずつ取り出す際に袋４が容器本体１から取り出され、開封された後に中味の湿潤シートのみ又は開封された袋４とともに容器本体１内に戻される。
【００１８】
上記容器本体の天壁１ｃには、上記取出口より大きい開口部９が形成される。開口部９は、この実施の形態１では円形に形成されるが、その他楕円形、長方形等の所望の形状に形成することが可能である。開口部９の面積、形状は、望ましくは少なくとも親指と人差指の二本の指が入る程度とされる。このようにすると湿潤シートの使い始めの場合や、湿潤シートの先端部が容器本体１内に落下した場合に、容器本体１内に指を差し込み湿潤シートの先端部を摘んで引き出すうえで便宜である。
【００１９】
開閉蓋３は、容器本体１の天壁１ｃを上記開口部９の上から覆うように設けられる。天壁１ｃの開口部９の周辺は凹部として形成され、この凹部内に開閉蓋３が閉状態となって入り込むと、開閉蓋３の表面と容器本体１の表面とが同一面化する。開閉蓋３は概ね長方形に形成され、その後部が天壁１ｃの後部すなわち容器本体１の後部にヒンジピン５を介して連結される。開閉蓋３はこのヒンジピン５を介して上下方向に回動可能であり、このヒンジピン５を支点に回動することにより取出口２を開閉する。
【００２０】
また、図３および図４に示すように、開閉蓋３の後部と天壁１ｃの後部との間には、開閉蓋３を常時開方向に付勢するバネ部材６が介装される。バネ部材６としては、金属製のコイルバネ、板バネ等を用いることができるが、望ましくはシリコンゴム製の板バネが用いられる。このバネ部材６がヒンジピン５よりやや前側で開閉蓋３と天壁１ｃとの間に屈曲状態で介装される。バネ部材６の作用により、開閉蓋３はヒンジピン５を支点にして常時上方向に回動しようとする。
【００２１】
一方、開閉蓋３の前端部に対応して天壁１ｃの前端部にはロック手段としてのロック片８が設けられる。図４及び図５に示すように、ロック片８は、天壁１ｃに対し枢ピン８ａを介して上下に回動自在に支持される。ロック片８の枢ピン８ａより開閉蓋３側に寄った箇所には、開閉蓋３の前端に設けられた突起３ａが引っ掛かるロック部８ｂが設けられ、枢ピン８ａよりも容器本体１の前側には、開閉蓋３の開閉操作をする際に指で押さえる指掛け部８ｃと、指掛け部８ｃの押圧により変形するバネ片８ｄとが設けられる。開閉蓋３が閉まった状態では、開閉蓋３の突起３ａがロック片８のロック部８ｂに引っ掛かって、ロック片８が枢ピン８ａの回りを反時計方向に付勢されている。指掛け部８ｃをバネ片８ｄが変形するように押圧すると、ロック片８が枢ピン８ａの回りを反時計方向に回動し、ロック部８ｂが突起３ａから離反し、これにより、開閉蓋３はロック片８から解放され、バネ部材６の弾性作用によりヒンジピン５の回りを上方向に回動し、開口部上の取出口２を開放する。
【００２２】
図１乃至図５に示すように、上記開口部９はその容器前側の略半分が弾性を有した軟質材製の膜体７ａで覆われ、開口部９の容器後側の残り部分が同様な膜体７ｂで覆われ、両膜体７ａ，７ｂの隣接部分が合掌状に重ね合わされることにより上記取出口２が形成される。取出口２は開口部９の面積内にその容器左右方向に平行な直径方向に伸びるスリットとなって現れる。スリットは両膜体７ａ，７ｂの合掌状に重なった重畳部で閉じられるので、容器本体１内は密封状態に保持される。
【００２３】
軟質材としては、シリコンゴム、エラストマー等を用いることができ、望ましくはガスバリア性、水蒸気バリア性のある材料が使用される。
【００２４】
両膜体７ａ，７ｂは、容器本体１の天壁１ｃに開口部９を遮蔽するように被せられ、所定の固定手段により容器本体１の天壁１ｃに固定される。具体的には、図１乃至図５に示すように、各膜体７ａ，７ｂは半月状に形成され、その円弧状の周縁に嵌合突起１０がリム状に形成される。一方、天壁１ｃの開口部９の回りには環状凹溝９ａが形成される。この環状凹溝９ａに嵌合突起１０が嵌め込まれることにより、両膜体７ａ，７ｂが天壁１ｃに開口部９を塞いだ状態で固定される。また、図１及び図２に示すように、両膜体７ａ，７ｂの重畳部の両側は天壁１ｃから突出する掛け止め片１ｄにより厚さ方向に挟持される。
【００２５】
上述したように、膜体７ａ，７ｂは弾性のある軟質材で作られていることから、図５に示すように、取出口２は容易に拡開して湿潤シート１２の通り抜けを許容し、湿潤シート１２が通過した後は、図４に示すように、直ちに口を閉じて容器本体１内を密閉する。膜体７ａ，７ｂの弾性変形により生じる力は弱いので、湿潤シート１２を引く力によって容器本体１が持ち上げられるようなことはなく、湿潤シート１２は円滑に取出口２を天壁１ｃの上方へと通過する。また、湿潤シート１２が取出口２を上方へ通過する際、両膜体７ａ，７ｂの先端で扱かれ、これにより余剰のアルコール等の含浸液が容器本体１内に戻される。先行する湿潤シート１２が取出口２から取り出されると、後続する湿潤シート１２の先端部１２ａが取出口２のやや先の待機位置まで引き出されて取出口２に挟まれた状態で停止し、容器本体１内に落下しないように保持される。また、取出口２が後続する湿潤シート１２の先端部１２ａを挟んだまま閉じるので、湿潤シート１２の含浸液の揮散が防止される。
【００２６】
上記両膜体７ａ，７ｂの重畳部は単に膜体７ａ，７ｂ同士を合掌状に重ねることのみによって形成してもよいが、図４及び図５に示すように、望ましくは両膜体７ａ，７ｂの合掌状に重ね合わされた隣接部分の先端１１が互いに反対側に反り返るように形成される。このように両膜体７ａ，７ｂの隣接部分の先端１１が反り返っていると、容器本体１内に湿潤シート１２が落下した場合に指を容器本体１内に差し込みやすくなり、容易に湿潤シート１２を引き出すことができる。
【００２７】
次に、上記構成の保湿容器の作用について説明する。
【００２８】
湿潤シート１２は当初多数枚積み重ねられた状態で袋４内に詰められ、保湿容器の容器本体１内に収納された状態で販売される。
【００２９】
使用者は、購入当初容器本体１の底壁１ａを外して袋を取り出し、袋４を開いて湿潤シート１２の重畳体又はロールを取り出し、この重畳体又はロールを容器本体１内に収納し、湿潤シート１２の先端部１２ａを取出口２から容器本体１外へと引き出し、再び底壁１ａで容器本体１を閉じ、開閉蓋３を閉じる。
【００３０】
湿潤シート１２を使用する場合、ロック片８に指を掛けて開閉蓋３のロックを解除する。開閉蓋３はバネ部材６の復元力により自動的に上方に回動し、膜体７ａ，７ｂの上方を開放する。
【００３１】
使用者は、膜体７ａ，７ｂ間の取出口２から覗く湿潤シート１２の先端部１２ａを指で摘んで取出口２から容器本体１外に引き出す。
【００３２】
湿潤シート１２は膜体７ａ，７ｂ間の取出口２から引き出されつつ、膜体７ａ，７ｂにより扱かれる。これにより、アルコール等の余剰の含浸液が容器本体１内に戻される。また、取出口２を形成する膜体７ａ，７ｂは弾性を有する軟質材で形成されているので、湿潤シート１２の取り出しの際、容易に変形する。この膜体７ａ，７ｂの弾性変形により生じる力は湿潤シート１２を引っ張る力に比べて極めて小さいので、湿潤シート１２を引く力によって容器本体１が持ち上げられるようなことはなく、湿潤シート１２は円滑に取出口２外に引き出される。
【００３３】
この先行する湿潤シート１２が引き出されると、後続する湿潤シート１２の先端部１２ａが取出口２を少しばかり過ぎた待機位置まで引き出されて停止する。これにより、湿潤シート１２の先端部１２ａは膜体７ａ，７ｂ間の取出口２の縁に保持され、容器本体１内への落下が防止される。
【００３４】
湿潤シート１２がそれ以上必要でない場合は、使用者により開閉蓋３が閉じられる。使用者が開閉蓋３をバネ部材６の付勢力に抗して閉じると、開閉蓋３の突起３ａが容器本体１のロック部８ｂに引っ掛かり、これにより開閉蓋３が閉状態に保持される。
【００３５】
開閉蓋３が閉じると、図４に示すように、取出口２の回りが密封され、湿潤シート１２の含浸液の揮散が防止され、さらには取出口２からの容器本体１内における湿潤シート１２の含浸液の揮散が防止される。
【００３６】
＜実施の形態２＞
図６に示すように、この実施の形態２では、実施の形態１の場合と異なり、容器本体１６が筒状に形成され、この筒状の容器本体１６に着脱部材１６ａが取り付けられる。この容器本体１６内には枚葉状の湿潤シート１２（図４、図５参照）を積み重ねた重畳体又はミシン目が等間隔で入れられた長尺の湿潤シートを巻き取ったロールが収納される。
【００３７】
着脱部材１６ａは、具体的には容器本体１６に形成された湿潤シート１２の重畳体又はロールの挿入口を開閉するための蓋体である。この場合、この蓋体は容器本体１６にネジ、凹凸嵌合等の適宜手段により取り付けられている。
【００３８】
なお、この実施の形態２において実施の形態１のものと同じ部分には同一符号を付して示すこととし、重複した説明を省略する。
【００３９】
本発明は以上説明したように構成されるが、上記実施の形態１，２に限定されるものではない。例えば、実施の形態では膜体は二枚に分割されているが、一枚物として一体化することも可能である。
【図面の簡単な説明】
【００４０】
【図１】本発明の実施の形態１に係る保湿容器を開閉蓋の一部を切欠して示す平面である。
【図２】図１中、ＩＩ−ＩＩ線矢視断面図である。
【図３】図１中、ＩＩＩ−ＩＩＩ線矢視断面図である。
【図４】図３中、要部の拡大図である。
【図５】図４中、開閉蓋を開いた状態で示す拡大図である。
【図６】本発明の実施の形態２に係る保湿容器を開閉蓋の閉じた状態で示す斜視図である。
【符号の説明】
【００４１】
１…容器本体
２…取出口
３…開閉蓋
７ａ，７ｂ…膜体
９…開口部
１１…先端
１２…湿潤シート
１６ａ…着脱部材
【図１】
2008100751.tif 000003
【図２】
2008100751.tif 000004
【図３】
2008100751.tif 000005
【図４】
2008100751.tif 000006
【図５】
2008100751.tif 000007
【図６】
2008100751.tif 000008